(57)【要約】【課題】体脂肪率取得方法において、より正確な体脂肪率を取得することができるようにする。【解決手段】被検者１について、所定の断面画像Ｇ１、Ｇ２、Ｇ３を用意し、各断面画像Ｇ１、Ｇ２、Ｇ３について、被検者１の断面を示す領域Ｂｓの面積に対するこの断面内の体脂肪を示す領域Ｆｓの面積それぞれの比率Ｒｓ１〜Ｒｓ３を得、各断面画像Ｇ１、Ｇ２、Ｇ３毎に求めた上記比率Ｒｓ１〜Ｒｓ３のうちの最大値を、複数の互いに異なる人体について予め求めておいた体脂肪面積比率の最大値と体脂肪率との相関関係に適用して上記被検者の体脂肪率を取得する。【選択図】図２
2008284021.tif 000002
【特許請求の範囲】
【請求項１】
人体の体脂肪率を取得する体脂肪率取得方法であって、
被検者について、肝臓上部辺縁、横隔膜下部、脊椎の椎間のうちのいずれかを通る断面と腸骨上部、腸骨下部、仙骨下部のうちのいずれかを通る断面との間を通る互に異なる断面を示す２種類以上の断面画像を用意し、
各断面画像について、断面を示す領域の面積に対するこの断面内の体脂肪を示す領域の面積の比率を得、
各断面画像毎に求めた前記比率のうちの最大値を求め、
該最大値を、複数の互いに異なる人体について予め求めておいた体脂肪面積比率の最大値と体脂肪率との相関関係に適用して前記被検者の体脂肪率を取得することを特徴とする体脂肪率取得方法。
【請求項２】
人体の体脂肪率を取得する体脂肪率取得方法であって、
被検者について、肝臓上部辺縁、横隔膜下部、脊椎の椎間のうちのいずれかを通る断面と腸骨上部、腸骨下部、仙骨下部のうちのいずれかを通る断面との間を通る互に異なる断面を示す２種類以上の断面画像を用意し、
該各断面画像に基づいて、該断面画像間の領域の体積と該断面画像間の体脂肪の占める体積とを求め、前記領域の体積に対する前記体脂肪の体積の比率を示す脂肪体積比率を得、
該脂肪体積比率を、複数の互いに異なる人体について予め求めておいた脂肪体積比率と体脂肪率との相関関係に適用して前記被検者の体脂肪率を取得することを特徴とする体脂肪率取得方法。
【請求項３】
前記脂肪体積比率が、各断面画像の領域の面積を積算した値に対する各断面画像の領域中の体脂肪の占める面積を積算した値の比率によって求められるものであることを特徴とする請求項２記載の体脂肪率取得方法。
【請求項４】
前記断面画像に基づいて求められる各体積が、各断面画像間の領域の補間によって求められるものであることを特徴とする請求項２記載の体脂肪率取得方法。
【請求項５】
前記補間が、１以上の次数の関数による補間であることを特徴とする請求項４記載の体脂肪率取得方法。
【請求項６】
前記断面画像が、Ｘ線ＣＴによる断層撮影で得られたものであることを特徴とする請求項１から５のいずれか１項記載の体脂肪率取得方法。
【発明の詳細な説明】
【技術分野】
【０００１】
本発明は体脂肪率取得方法に関し、詳しくは、人体の断面画像から体脂肪率を取得する体脂肪率取得方法に関するものである。
【背景技術】
【０００２】
従来より、体重に占める脂肪の重さの割合を示す体脂肪率を測定する種々の方式が知られている。
【０００３】
上記体脂肪率を求める方式としては、例えば、人体を水中に沈めて、水中での体重と陸上での体重との違いを測定する水中体重法により得られた人体の体密度から体脂肪率を推定する方式が知られている。
【０００４】
また、人体に微小電流を流したときの電気抵抗を測定し、この電気抵抗が人体を構成する体脂肪の量に応じて変化することを利用して体脂肪率を推定するインピーダンス法も知られている。
【０００５】
上記体脂肪率の測定における脂肪は内臓脂肪と皮下脂肪とを含むものであるが、上記体脂肪の一部である内臓脂肪の比率を推定する方式も知られている（特許文献１参照）。この方式は、Ｘ線ＣＴを用いた人体の断層撮影により、内臓脂肪を示す領域の境界を明確に識別できるようにした断面画像を得、この断面画像中の内臓脂肪を示す領域の面積と他の領域との面積の比率を求めて内臓脂肪率を推定するものである。上記方式では、例えば人体のへそを通る１枚の断面画像から内臓脂肪率を推定しており、この方式は人体のへそを通る１枚の断面画像からの体脂肪率の推定にも適用することができる。
【０００６】
上記のように、体脂肪率は、直接測定することが困難なので、間接的に得られた種々の測定データから推定して求めている。
【特許文献１】特開２００４−２５４９３３号公報
【発明の開示】
【発明が解決しようとする課題】
【０００７】
ところで、上記人体のへそを通る断層撮影による体脂肪率の推定は、撮影する断面を容易に定めることができる点では優れているが、へそと内臓との位置関係、あるいは、皮下脂肪や内臓脂肪が堆積しやすい部位とへそとの位置関係には個人差がある。そのため、へそを通る断面画像中の体脂肪を示す領域の面積の割合から求めた体脂肪率は、上記水中体重法に比して大きな誤差が生じることがあり、そのような誤差を抑制したいという要請がある。
【０００８】
本発明は、上記事情に鑑みてなされたものであり、より正確な体脂肪率を取得することができる体脂肪率取得方法を提供することを目的とするものである。
【課題を解決するための手段】
【０００９】
本発明の第１の体脂肪率取得方法は、人体の体脂肪率を取得する体脂肪率取得方法であって、被検者について、肝臓上部辺縁、横隔膜下部、脊椎の椎間のうちのいずれかを通る断面と腸骨上部、腸骨下部、仙骨下部のうちのいずれかを通る断面との間を通る互に異なる断面を示す２種類以上の断面画像を用意し、各断面画像について、断面を示す領域の面積に対するこの断面内の体脂肪を示す領域の面積の比率を得、各断面画像毎に求めた前記比率のうちの最大値を求め、この最大値を、複数の互いに異なる人体について予め求めておいた体脂肪面積比率の最大値と体脂肪率との相関関係に適用して被検者の体脂肪率を取得するものである。
【００１０】
すなわち、上記第１の体脂肪率取得方法は、人体の体脂肪率を取得する体脂肪率取得方法であって、被検者について、肝臓上部辺縁、横隔膜下部、脊椎の椎間のうちのいずれかを通る断面と、腸骨上部、腸骨下部、仙骨下部のうちのいずれかを通る断面との間を通る互に異なる断面を示す２種類以上の断面画像を用意し、各断面画像について、人体部位の断面を示す領域の面積に対するこの人体部位を示す断面内の体脂肪を示す領域の面積の比率である体脂肪面積比率を得、各断面画像毎に求めた上記体脂肪面積比率のうちの最大値を求め、この体脂肪面積比率の最大値を、複数の互いに異なる人体について予め求めておいた体脂肪面積比率の最大値と体脂肪率との相関関係に適用して前記被検者の体脂肪率を取得することを特徴とするものである。
【００１１】
本発明の第２の体脂肪率取得方法は、人体の体脂肪率を取得する体脂肪率取得方法であって、被検者について、肝臓上部辺縁、横隔膜下部、脊椎の椎間のうちのいずれかを通る断面と腸骨上部、腸骨下部、仙骨下部のうちのいずれかを通る断面との間を通る互に異なる断面を示す２種類以上の断面画像を用意し、各断面画像に基づいて、該断面画像間の領域の体積と該断面画像間の体脂肪の占める体積とを求め、前記領域の体積に対する前記体脂肪の体積の比率を示す脂肪体積比率を得、この脂肪体積比率を、複数の互いに異なる人体について予め求めておいた脂肪体積比率と体脂肪率との相関関係に適用して前記被検者の体脂肪率を取得することを特徴とするものである。
【００１２】
すなわち、上記第２の体脂肪率取得方法は、人体の体脂肪率を取得する体脂肪率取得方法であって、被検者について、肝臓上部辺縁、横隔膜下部、脊椎の椎間のうちのいずれかを通る断面と、腸骨上部、腸骨下部、仙骨下部のうちのいずれかを通る断面との間を通る互に異なる断面を示す２種類以上の断面画像を用意し、各断面画像に基づいて、該断面画像間の人体部位を示す領域の体積と該断面画像間の人体部位中の体脂肪を示す領域の体積とを求め、前記人体部位を示す領域の体積に対する前記体脂肪の領域を示す体積の比率を示す脂肪体積比率を得、この脂肪体積比率を、複数の互いに異なる人体について予め求めておいた脂肪体積比率と体脂肪率との相関関係に適用して前記被検者の体脂肪率を取得することを特徴とするものである。
【００１３】
前記脂肪体積比率は、各断面画像の領域の面積を積算した値に対する各断面画像の領域中の体脂肪の占める面積を積算した値の比率によって求められるもとすることができる。  前記断面画像に基づいて求められる各体積は、各断面画像間の領域の補間によって求められるものとすることができる。
【００１４】
前記補間に用いられる関数の次数は１以上とすることができる。  前記断面画像は、Ｘ線ＣＴによる断層撮影で得られたものとすることができる。
【００１５】
前記体脂肪は、内臓脂肪と皮下脂肪とを合わせたものである。
【００１６】
前記肝臓上部辺縁を通る断面、横隔膜下部を通る断面、脊椎の椎間を通る断面、腸骨上部を通る断面、腸骨下部を通る断面、仙骨下部を通る断面は、それぞれ被検者の背骨の伸びる方向に対して垂直な断面である。なお、前記被検者の背骨の伸びる方向は、被検者の身長方向でもある。
【００１７】
前記補間に用いられる関数は、前記被検者の背骨の伸びる方向に対して平行な平面座標上において規定される関数とすることが望ましい。
【発明の効果】
【００１８】
本発明の第１の体脂肪率取得方法によれば、被検者について用意した、２種類以上の各断面画像について、人体部位の断面を示す領域の面積に対するこの人体部位を示す断面内の体脂肪を示す領域の面積の比率である体脂肪面積比率を得、各断面画像毎に求めた体脂肪面積比率のうちの最大値を求め、この体脂肪面積比率の最大値を、複数の互いに異なる人体について予め求めておいた体脂肪面積比率の最大値と体脂肪率との相関関係に適用して前記被検者の体脂肪率を取得するようにしたので、より正確な体脂肪率を取得することができる。
【００１９】
すなわち、人体の１断面から推定した体脂肪率は、上記のように、脂肪の付き方や臓器位置の個人差等のため体脂肪面積比率と体脂肪率との間の相関は比較的低いものとなる。一方、上記体脂肪率取得方法では、人体の互に異なる２種類以上の各断面について求めた体脂肪面積比率のうちの最大値から体脂肪率を推定するので、すなわち、人体断面のうち、体脂肪の割合がより大きい断面から求めた体脂肪面積比率から体脂肪率を推定するので、上記脂肪の付き方や臓器位置の個人差を低減することができ、上記人体の１断面を用いる場合に比して体脂肪面積比率と体脂肪率との間の相関を高めることができる。
【００２０】
言い換えれば、上記発明における体脂肪面積比率の最大値と体脂肪率との間の相関係数の絶対値を従来よりも大きくすることができる。
【００２１】
上記のことにより、従来の人体の１断面から体脂肪率を求める方式よりも正確な体脂肪率を取得することができる。
【００２２】
本発明の第２の体脂肪率取得方法によれば、被験者について用意した、２種類以上の各断面画像に基づいて、断面画像間の人体部位を示す領域の体積とこの断面画像間の人体部位中の体脂肪を示す領域の体積とを求め、人体部位を示す領域の体積に対する体脂肪を示す領域の体積の比率を表す脂肪体積比率を得、この脂肪体積比率を、複数の互いに異なる人体について予め求めておいた脂肪体積比率と体脂肪率との相関関係に適用して前記被検者の体脂肪率を取得するようにしたので、より正確な体脂肪率を取得することができる。
【００２３】
すなわち、人体の１断面から推定した体脂肪率は、上記のように、脂肪の付き方や臓器位置の個人差等のため脂肪体積比率と体脂肪率との間の相関は比較的低いものとなる。一方、上記体脂肪率取得方法では、人体の互に異なる２種類以上の各断面について求めた脂肪体積比率から体脂肪率を推定するので、すなわち、人体断面における体脂肪の割合をより平均化して示す上記脂肪体積比率から体脂肪率を推定するので、上記脂肪の付き方や臓器位置の個人差を低減することができ、上記人体の１断面を用いる場合に比して脂肪体積比率と体脂肪率との間の相関を高めることができる。
【００２４】
言い換えれば、上記発明における脂肪体積比率と体脂肪率との間の相関係数の絶対値を従来よりも大きくすることができる。
【００２５】
上記のことにより、従来の人体の１断面から体脂肪率を求める方式よりも正確な体脂肪率を取得することができる。
【００２６】
また、脂肪体積比率を、各断面画像の領域の面積を積算した値に対する各断面画像の領域中の体脂肪の占める面積を積算した値の比率によって求められるものとすれば、より容易に上記体脂肪率を取得することができる。すなわち、各断面画像は所定の厚さ方向の情報をも含むものとして取得することができ、所定厚さの情報を含む断面画像をこの厚さ方向に沿って上記所定厚さ毎に取得すれば、各断面画像の人体部位を示す領域の面積に対し上記所定厚さを乗じて得られた各体積の積算により上記人体部位を示す領域の体積を求めることができる。また、各断面画像の人体部位中の体脂肪を示す領域の面積に対し上記所定厚さを乗じて得られた各体積の積算により上記人体部位中の体脂肪を示す領域の体積を求めることができる。したがって、各断面画像の領域の面積を積算した値に対する各断面画像の領域中の体脂肪の占める面積を積算した値の比率を求めることによって、より容易に上記体脂肪率を取得することができる。
【００２７】
また、上記断面画像に基づいて求める各体積を、各断面画像間の領域の補間によって求めるものとすれば、より確実に上記体脂肪率を取得することができる。
【００２８】
なお、上記断面画像を、Ｘ線ＣＴによる断層撮影で得られたものとすれば、より確実に上記体脂肪率を取得することができる。
【発明を実施するための最良の形態】
【００２９】
以下、本発明の実施の形態について、図面を用いて説明する。図１から図５は本発明の体脂肪率取得方法を説明するものである。図１から４は本発明の第１の実施の形態による体脂肪率取得方法に関する図である。図１および図４，図５は本発明の第２の実施の形態による体脂肪率取得方法に関する図である。なお、上記図１は本発明の第１および第２の実施の形態による体脂肪率取得方法を説明するための共通の図である。
【００３０】
上記図１は被検者についての互に異なる断面とそれらの断面画像を示す概念図、図２は被検者の人体部位を示す断面の領域とその中の体脂肪を示す断面の領域とを示す断面図、図３は横軸に体脂肪面積比率の最大値、縦軸に体脂肪率を示す座標上に体脂肪面積比率と体脂肪率の相関関係を示す予め求めておいた曲線から被検者の体脂肪率を取得するためのグラフを示す図である。
【００３１】
本発明の第１の実施の形態による体脂肪率取得方法は、図１に示すように、はじめに、被検者１について、肝臓上部辺縁、横隔膜下部、脊椎の椎間のうちのいずれかを通る断面と腸骨上部、腸骨下部、仙骨下部のうちのいずれかを通る断面との間を通る互に異なる断面Ｄ１〜Ｄ３を示す２種類以上の断面画像である断面画像Ｇ１〜Ｇ３を用意する。ここで、上記断面画像Ｇ１〜Ｇ３は、Ｘ線ＣＴによる断層撮影で得られたものとすることができる。また、肝臓上部辺縁を通る断面、横隔膜下部を通る断面、脊椎の椎間を通る断面、腸骨上部を通る断面、腸骨下部を通る断面、仙骨下部を通る断面は、それぞれ被検者の背骨の伸びる方向に対して垂直な断面である。
【００３２】
上記断面画像は、肝臓上部辺縁を通る断面と腸骨上部を通る断面との間を通る断面を示す画像としたり、肝臓上部辺縁を通る断面と腸骨下部を通る断面との間を通る断面を示す画像としたり、あるいは、横隔膜下部を通る断面と仙骨下部を通る断面との間を通る断面を示す画像等とすることができる。
【００３３】
そして、図２に示すように各断面画像Ｇ１〜Ｇ３について、人体部位の断面を示す領域Ｂｓの面積Ｓａ１〜Ｓａ３に対する人体部位の断面内の体脂肪を示す領域Ｆｓの面積Ｓｂ１〜Ｓｂ３それぞれの比率である体脂肪面積比率Ｒｓ１〜Ｒｓ３を得る。つづいて、上記各断面画像Ｇ１〜Ｇ３毎に求めた体脂肪面積比率Ｒｓ１〜Ｒｓ３のうちの最大値Ｒｓｍを求める。
【００３４】
ここで、Ｒｓ１＝Ｓｂ１／Ｓａ１、Ｒｓ２＝Ｓｂ２／Ｓａ２、Ｒｓ３＝Ｓｂ３／Ｓａ３であり、Ｒｓｍ＝Ｒｓ１とする。
【００３５】
さらに、上記体脂肪面積比率の最大値Ｒｓｍを、図３に示すように、複数の互いに異なる人体について予め求めておいた体脂肪面積比率の最大値Ｒｓｍｘと体脂肪率Ｆｒとの相関関係を示す曲線Ｋｓに適用して被検者１の体脂肪率Ｆｒ１を取得する。
【００３６】
上記曲線Ｋｓを取得するにあたり、各人体の体脂肪面積比率およびその最大値は、上記と同様の手法によって求めることができる。また、各人体の体脂肪率については、水中体重法により得られた人体の体密度から体脂肪率を推定する方式等を採用することができる。
【００３７】
上記体脂肪面積比率の最大値は、人体の１断面のみを用いた方式に比して個人差のより少ない値であり、体脂肪面積比率の最大値と体脂肪率との相関関係も従来に比して高い相関を示すものとすることができるので、上記被検者の体脂肪率をより正確に推定することができる。
【００３８】
本発明の第２の実施の形態による体脂肪率取得方法は、上記のように断面画像から人体部位を示す領域の面積を求めて体脂肪率を取得する代わりに、上記断面画像から人体部位を示す領域の体積を求めて体脂肪率を取得するものである。
【００３９】
図４は被検者の人体部位を示す領域の体積とその中の体脂肪を示す領域の体積とを示す概念図、図５は横軸に脂肪体積比率、縦軸に体脂肪率を示す座標上に示した脂肪体積比率と体脂肪率の相関関係を示す予め求めておいた曲線を利用して被検者の体脂肪率を取得するためのグラフを示す図である。
【００４０】
はじめに、上記第１の実施の形態と同様に、上記図１に示すように、被検者１について、胸骨の下端を通る断面と恥骨の上端を通る断面との間を通る互に異なる断面Ｄ１〜Ｄ３を示す２種類以上の断面画像である断面画像Ｇ１〜Ｇ３を用意する。すなわち、上記断面画像Ｇ１〜Ｇ３は、Ｘ線ＣＴによる断層撮影で得られたものとすることができ、また、上記胸骨の下端を通る断面、および恥骨の上端を通る断面は、それぞれ被検者１の背骨の伸びる方向に対して垂直な断面である。
【００４１】
そして、図４（ａ）、（ｂ）に示すように、断面画像Ｇ１〜Ｇ２、および断面画像Ｇ２〜Ｇ３の間を補間して、断面画像Ｇ１と断面画像Ｇ３との間の人体部位を示す領域Ｂｖの体積と上記断面画像Ｇ１、Ｇ３間のこの人体部位中の体脂肪を示す領域Ｆｖの体積とを求め、人体部位を示す領域Ｂｖの体積に対する体脂肪を示す領域Ｆｖの体積の比率を表す脂肪体積比率Ｒｖ（Ｒｖ＝領域Ｆｖの体積／領域Ｂｖの体積）を得る。
【００４２】
ここで、断面画像Ｇ１〜Ｇ２間を補間して得られた人体部位を示す領域Ｂｖ１の体積と断面画像Ｇ２〜Ｇ３間を補間して得られた人体部位を示す領域Ｂｖ２の体積との和が上記領域Ｂｖの体積となる。また、断面画像Ｇ１〜Ｇ２間を補間して得られた人体部位中の体脂肪を示す領域Ｆｖ１の体積と断面画像Ｇ２〜Ｇ３間を補間して得られた人体部位中の体脂肪を示す領域Ｆｖ２の体積との和が上記領域Ｆｖの体積となる。
【００４３】
さらに、図５に示すように、上記脂肪体積比率Ｒｖを、複数の互いに異なる人体について予め求めておいた脂肪体積比率Ｒｖｘと体脂肪率Ｆｒとの相関関係Ｋｖに適用して上記被検者１の体脂肪率Ｆｒ２を取得する。
【００４４】
上記曲線Ｋｖを取得するにあたり、各人体の脂肪体積比率は上記と同様の手法によって求めることができる。また、各人体の体脂肪率は、水中体重法により得られた人体の体密度から体脂肪率を推定する方式等を採用することができる。
【００４５】
上記脂肪体積比率は、人体の１断面を用いる従来の方式に比して個人差のより少ない値であり、脂肪体積比率と体脂肪率との相関関係も従来に比して高い相関を示すものとすることができるので、上記被検者の体脂肪率をより正確に推定することができる。
【００４６】
上記補間は、１次間数による補間としてもよい。また、上記補間は、２関数による補間や３次以上の高次関数による補間とすることもできる。さらに、上記とは異なる他の関数を用いた補間としてもよい。なお、上記補間に用いられる関数は、被検者の背骨の伸びる方向に対して平行な平面座標上において規定される関数である。
【００４７】
なお、上記のように、例えば、断面画像Ｇ１〜Ｇ２間、断面画像Ｇ２〜Ｇ３間を補間して領域Ｂｖ１、領域Ｂｖ２の体積を取得し、両者の加算により、断面画像Ｇ１〜Ｇ３間の領域Ｂｖの体積を求める場合に限らない。
【００４８】
図６は、脂肪体積比率を、各断面画像の領域の面積を積算した値に対する各断面画像の領域中の体脂肪の占める面積を積算した値の比率によって求める場合について説明した概念図である。
【００４９】
Ｘ線ＣＴによる断層撮影で断面画像を取得する場合には、上記断面画像はその断面と直交する厚さ方向の情報をも含んでいる。したがって、上記断層撮影で得られた断面画像は所定の厚さｔｖ間の情報が平均化されたものと考えられる。
【００５０】
したがって、上記所定の厚さｔｖ毎に断層撮影して上記領域Ｂｖの範囲について連続する断面画像Ｂｖ０１〜Ｂｖ０６を取得することにより、人体断面を示す領域Ｂｖの体積を（Ｂｖ０１の面積×ｔｖ）+（Ｂｖ０２の面積×ｔｖ）+・・・+（Ｂｖ０６の面積×ｔｖ）の演算によって求めることができる。
【００５１】
また、体脂肪を示す領域Ｆｖの体積を、（Ｆｖ０１の面積×ｔｖ）+（Ｆｖ０２の面積×ｔｖ）+・・・+（Ｆｖ０６の面積×ｔｖ）の演算によって求めることができる。
【００５２】
したがって、脂肪体積比率を、（Ｆｖ０１の面積+Ｆｖ０２の面積+・・・+Ｆｖ０６の面積）／（Ｂｖ０１の面積+Ｂｖ０２の面積+・・・+Ｂｖ０６の面積）の演算によって求めることができる。
【００５３】
上記のことにより、脂肪体積比率を、各断面画像の領域の面積を積算した値に対する各断面画像の領域中の体脂肪の占める面積を積算した値の比率によって求めることができる。  上記第１および第２の実施の形態において、上記体脂肪は、内臓脂肪と皮下脂肪とを合わせたものである。また、上記断面画像Ｇ１〜Ｇ３は、被検者１の背骨の伸びる方向に対して垂直な断面とすることが望ましいが、必ずしもそのような場合に限らず、上記肝臓上部辺縁、横隔膜下部、脊椎の椎間のうちのいずれかを通る断面と腸骨上部、腸骨下部、仙骨下部のうちのいずれかを通る断面との間を通る互に異なる断面であれば、被検者１の背骨の伸びる方向に対して傾斜した断面を示す画像であってもよい。
【図面の簡単な説明】
【００５４】
【図１】被検者についての互に異なる断面とそれらの断面画像を示す概念図
【図２】被検者の各断面画像について人体部位とその中の体脂肪を示す領域とを示す断面図
【図３】予め求めておいた体脂肪面積比率と体脂肪率の相関関係を示す曲線を利用して被検者の体脂肪率を取得するためのグラフを示す図
【図４】被検者の人体部位を示す領域の体積とその中の体脂肪を示す領域の体積とを示す概念図
【図５】横軸に脂肪体積比率、縦軸に体脂肪率を示す座標上に示した脂肪体積比率と体脂肪率の相関関係を示す曲線を利用して被検者の体脂肪率を取得するためのグラフを示す図
【図６】脂肪体積比率を各断面画像の領域の面積を積算した値に対する各断面画像の領域中の体脂肪の占める面積を積算した値の比率によって求める様子を示す概念図
【符号の説明】
【００５５】
１    被検者
Ｄ１〜Ｄ３    断面
Ｇ１、Ｇ２、Ｇ３    断面画像
Ｂｓ    被験者の断面を示す領域
Ｆｓ    体脂肪を示す領域
Ｒｓ１〜Ｒｓ３    体脂肪面積比率
【図１】
2008284021.tif 000003
【図２】
2008284021.tif 000004
【図３】
2008284021.tif 000005
【図４】
2008284021.tif 000006
【図５】
2008284021.tif 000007
【図６】
2008284021.tif 000008